(57)【要約】【課題】表示されている複数の映像のそれぞれが、いずれの送信元の映像であるかを視聴者に把握させることができる映像表示装置及び映像表示システムの提供を目的とする。【解決手段】ＩＥＥＥ１３９４インタフェース１１は、接続された外部機器５ａ，５ｂ，５ｃ，…から映像信号を受信するとともに、外部機器５ａ，５ｂ，５ｃ，…から機器情報を取得する。また、合成処理部１４ｂは、映像一覧キー３ａが押下された場合、外部機器５ａ，５ｂ，５ｃ，…の映像を並べた一覧映像となるように、各映像の合成処理を行なう。また、ＯＳＤ処理部１４ｃは、合成処理部１４ｂにて合成処理された一覧映像に、機器情報を示す半透明のＯＳＤ映像を合成するＯＳＤ処理を行なう。これにより、視聴者は、表示されている複数の映像のそれぞれが、外部機器５ａ，５ｂ，５ｃ，…のいずれの映像であるかを把握することができる。【選択図】図１
2007166316.tif 000002
【特許請求の範囲】
【請求項１】
入力された複数の映像信号のうちの１つを選択する選択手段と、選択された映像信号に係る映像及び未選択の映像信号に係る映像を並べて表示する表示手段とを備える映像表示装置において、
前記複数の映像信号の送信元を識別する送信元情報を取得する取得手段と、
該取得手段にて取得した送信元情報に係る映像を、選択及び未選択の映像信号に係る映像に合成する合成手段と
を備えることを特徴とする映像表示装置。
【請求項２】
前記送信元情報に、映像信号を送信する送信元の電源の入断状態を示す状態情報が含まれている場合、
前記合成手段は、
電源が切断されている旨の状態情報を取得した場合、対応する映像に電源が切断されていることを示す映像をさらに合成するようにしてあること
を特徴とする請求項１に記載の映像表示装置。
【請求項３】
前記表示手段は、
取得した状態情報に応じて各映像の寸法を制御するようにしてあること
を特徴とする請求項２に記載の映像表示装置。
【請求項４】
前記表示手段は、
選択された映像信号に係る映像を、未選択の映像信号に係る映像より大きく表示するようにしてあること
を特徴とする請求項１乃至請求項３のいずれか１つに記載の映像表示装置。
【請求項５】
前記映像信号に該映像信号を識別する映像情報が重畳されている場合に、前記映像信号から前記映像情報を分離する分離手段をさらに備え、
前記合成手段は、
前記分離手段にて分離された映像情報に係る映像をさらに合成するようにしてあること
を特徴とする請求項１乃至請求項４のいずれか１つに記載の映像表示装置。
【請求項６】
機器自体を識別する機器情報を記憶している複数の機器と、該機器から送信された複数の映像信号のうちの１つを選択し、選択された映像信号に係る映像及び未選択の映像信号に係る映像を並べて表示する映像表示装置とを含む映像表示システムにおいて、
前記複数の機器から機器情報を取得する取得手段と、
該取得手段にて取得した機器情報に係る映像を、選択及び未選択の映像信号に係る映像に合成する合成手段と
を備えることを特徴とする映像表示システム。
【発明の詳細な説明】
【技術分野】
【０００１】
本発明は、映像表示システム及び該映像表示システムの構成要素としての映像表示装置に関し、より具体的には、機器自体を識別する機器情報を記憶しているＩＥＥＥ（Institute of Electrical and Electronics Engineers）１３９４対応機器のような機器の複数と接続し、該機器から送信された複数の映像信号のうちの１つを選択し、選択された映像信号に係る映像及び未選択の映像信号に係る映像を並べて表示する映像表示装置などに関する。
【背景技術】
【０００２】
近年、映像分野においてもデジタル化が進み、ＩＥＥＥ１３９４規格に対応した複数の機器と接続し、接続した機器から送信された映像信号に係る映像を表示する映像表示装置が実用化されている。
【０００３】
特許文献１には、複数の入力映像信号のうち、現在、信号が有るかどうかを検出する信号検出手段と、信号検出手段により、信号有りと検出された１つ又は複数の映像信号を、同一画面上に子画面として表示されるよう処理して出力する子画面処理手段と、子画面処理手段の出力信号と、複数の入力映像信号のうち親画面として選択された信号を合成し表示する画面表示手段とを有し、表示された子画面から、その１つを画面上で選択した場合には、子画面表示を止め、その映像を親画面として表示する画面選択手段を有する映像表示装置が開示されている。
【０００４】
上述した映像表示装置によれば、表示された子画面のうちの１つを選択することで、その映像が親画面として表示されるので、視聴者は、子画面の映像を確認したうえで、映像の切り換えることができるとともに、映像を切り換える際の操作性が向上する。
【特許文献１】特開平８−３２８９２号公報
【発明の開示】
【発明が解決しようとする課題】
【０００５】
しかしながら、特許文献１に開示されている技術では、各映像を１画面に表示することから、視聴者は、各機器がどのような映像の映像信号を出力しているかを把握することができるが、表示されている映像の送信元がいずれの機器のものであるかまでは把握することができない。つまり、いずれの信号入力部（第１入力部、第２入力部、…）に入力された映像であるものであるとしか把握することができないという問題があった。
【０００６】
本発明は斯かる事情に鑑みてなされたものであり、入力された複数の映像信号のうちの１つを選択し、選択された映像信号に係る映像及び未選択の映像信号に係る映像を並べて表示する場合に、各映像信号の送信元を識別する送信元情報を取得し、取得した送信元情報に係る映像を、選択及び未選択の映像信号に係る映像に合成する構成とすることにより、表示されている各映像が、いずれの送信元の映像であるかを視聴者に把握させることができる映像表示装置の提供を目的とする。
【０００７】
また本発明は、送信元の電源の入断状態を示す状態情報が送信元情報に含まれている場合、電源が切断されている旨の状態情報を取得したときに、対応する映像に電源が切断されていることを示す映像をさらに合成する構成とすることにより、対応する送信元が動作していないことを視聴者に把握させることができる映像表示装置の提供を目的とする。
【０００８】
さらに本発明は、取得した状態情報に応じて各映像の寸法を制御する構成とすることにより、例えば、送信元の電源が切断されている場合は、映像表示装置に対して送信している映像が存在しないことから、その送信元が接続されていることを視聴者に把握させれば十分であると考えられるので、その映像の寸法を、動作中の送信元の映像の寸法より小さくすることで、動作中の送信元の映像を、その分大きくすることができる映像表示装置の提供を目的とする。
【０００９】
さらにまた本発明は、選択された映像信号に係る映像を、未選択の映像信号に係る映像より大きく表示する構成とすることにより、選択されている映像を視聴者が視聴中であっても、視聴へ影響を極力及ぼさないようにすることができる映像表示装置の提供を目的とする。
【００１０】
さらにまた本発明は、映像信号に該映像信号を識別する映像情報が重畳されている場合に、映像信号から映像情報を分離し、分離された映像情報に係る映像をさらに合成する構成とすることにより、表示されている各映像が、どのような映像であるかを視聴者に把握させることができる映像表示装置の提供を目的とする。
【００１１】
さらにまた本発明は、機器自体を識別する機器情報を記憶している複数の機器と、該機器から送信された複数の映像信号のうちの１つを選択し、選択された映像信号に係る映像及び未選択の映像信号に係る映像を並べて表示する場合に、各機器から機器情報を取得し、取得した機器情報に係る映像を、選択及び未選択の映像信号に係る映像に合成する構成とすることにより、表示されている各映像が、いずれの機器の映像であるかを視聴者に把握させることができる映像表示システムの提供を目的とする。
【課題を解決するための手段】
【００１２】
本発明に係る映像表示装置は、入力された複数の映像信号のうちの１つを選択する選択手段と、選択された映像信号に係る映像及び未選択の映像信号に係る映像を並べて表示する表示手段とを備える映像表示装置において、前記複数の映像信号の送信元を識別する送信元情報を取得する取得手段と、該取得手段にて取得した送信元情報に係る映像を、選択及び未選択の映像信号に係る映像に合成する合成手段とを備えることを特徴とする。
【００１３】
本発明にあっては、入力された複数の映像信号のうちの１つを選択し、選択された映像信号に係る映像及び未選択の映像信号に係る映像を並べて表示する。また、入力された各映像信号の送信元を識別する送信元情報を取得し、取得した送信元情報に係る映像を、選択及び未選択の映像信号に係る映像に合成する。これにより、視聴者は、表示されている各映像の送信元を容易に把握することができる。
【００１４】
本発明に係る映像表示装置は、前記送信元情報に、映像信号を送信する送信元の電源の入断状態を示す状態情報が含まれている場合、前記合成手段は、電源が切断されている旨の状態情報を取得した場合、対応する映像に電源が切断されていることを示す映像をさらに合成するようにしてあることを特徴とする。
【００１５】
本発明にあっては、電源が切断されている旨の状態情報を取得した場合、対応する映像に電源が切断されていることを示す映像をさらに合成する。これにより、視聴者は、対応する送信元の電源が切断している、すなわち送信元の機器が動作していないことを把握することができる。
【００１６】
本発明に係る映像表示装置は、前記表示手段が、取得した状態情報に応じて各映像の寸法を制御するようにしてあることを特徴とする。
【００１７】
本発明にあっては、取得した動作状態に応じて各映像の寸法を制御する。例えば、送信元の機器の電源が切断されている場合は、映像表示装置に送信している映像が存在しないことから、その機器が接続されていることを視聴者に把握させれば十分であると考えられる。そこで、その映像の寸法を、動作中の機器の映像の寸法より小さくすることで、動作中の機器の映像を相対的に大きくし、動作中の機器の映像を視聴者に確認し易くさせることができる。
【００１８】
本発明に係る映像表示装置は、前記表示手段が、選択された映像信号に係る映像を、未選択の映像信号に係る映像より大きく表示するようにしてあることを特徴とする。
【００１９】
本発明にあっては、選択された映像信号に係る映像を、未選択の映像信号に係る映像より大きく表示する。これは、選択されている映像が、視聴者が視聴している映像であることから、未選択の映像より大きく表示することが好ましいためである。
【００２０】
本発明に係る映像表示装置は、前記映像信号に該映像信号を識別する映像情報が重畳されている場合に、前記映像信号から前記映像情報を分離する分離手段をさらに備え、前記合成手段は、前記分離手段にて分離された映像情報に係る映像をさらに合成するようにしてあることを特徴とする。
【００２１】
本発明にあっては、映像信号を識別する映像情報が映像信号に重畳されている場合、重畳された映像情報を映像信号から分離する。そして、分離された映像情報に係る映像を、それぞれの映像にさらに合成する。これにより、視聴者は、表示されている各映像が、どのような映像であるかを容易に把握することができる。
【００２２】
本発明に係る映像表示システムは、機器自体を識別する機器情報を記憶している複数の機器と、該機器から送信された複数の映像信号のうちの１つを選択し、選択された映像信号に係る映像及び未選択の映像信号に係る映像を並べて表示する映像表示装置とを含む映像表示システムにおいて、前記複数の機器から機器情報を取得する取得手段と、該取得手段にて取得した機器情報に係る映像を、選択及び未選択の映像信号に係る映像に合成する合成手段とを備えることを特徴とする。
【００２３】
本発明にあっては、複数の機器が機器自体を識別する機器情報を記憶している場合、各機器から送信された複数の映像信号のうちの１つを選択し、選択された映像信号に係る映像及び未選択の映像信号に係る映像を並べて表示する。その際、各機器から機器情報を取得し、取得した機器情報に係る映像を、選択及び未選択の映像信号に係る映像に合成する。これにより、視聴者は、表示されている各映像の送信元を容易に把握することができる。
【発明の効果】
【００２４】
本発明によれば、入力された複数の映像信号のうちの１つを選択し、選択された映像信号に係る映像及び未選択の映像信号に係る映像を並べて表示する場合に、各映像信号の送信元を識別する送信元情報を取得し、取得した送信元情報に係る映像を、選択及び未選択の映像信号に係る映像に合成する構成としたので、表示されている各映像が、いずれの送信元の映像であるかを視聴者に把握させることができる。送信元情報は、例えば、送信元である機器の名称、機器の製造元（メーカ名）及び機器の種類名などであり、視聴者は、機器の名称、メーカ名、種類名などが表示された映像を見て、容易に機器の名称、メーカ名及び種類を把握することができる。
【００２５】
本発明によれば、送信元の電源の入断状態を示す状態情報が送信元情報に含まれている場合、電源が切断されている旨の状態情報を取得したときに、対応する映像に電源が切断されていることを示す映像をさらに合成する構成としたので、対応する送信元が動作していないことを視聴者に把握させることができる。
【００２６】
本発明によれば、取得した状態情報に応じて各映像の寸法を制御する構成としたので、例えば、送信元の電源が切断されている場合は、映像表示装置に対して送信している映像が存在しないことから、その送信元が接続されていることを視聴者に把握させれば十分であると考えられるので、その映像の寸法を、動作中の送信元の映像の寸法より小さくすることで、動作中の送信元の映像をその分大きくすることができる。したがって、動作中の送信元の映像を視聴者に確認し易くさせることができる。
【００２７】
本発明によれば、選択された映像信号に係る映像を、未選択の映像信号に係る映像より大きく表示する構成としたので、選択されている映像を視聴者が視聴中であっても、視聴へ影響を極力及ぼさないようにすることができる。これは、選択されている映像が、視聴者が視聴している映像であることから、未選択の映像より大きく表示することが好ましいためである。
【００２８】
本発明によれば、映像信号に該映像信号を識別する映像情報が重畳されている場合に、映像信号から映像情報を分離し、分離された映像情報に係る映像をさらに合成する構成としたので、表示されている各映像が、どのような映像であるかを視聴者に把握させることができる。映像情報は、例えば、映像の名称及び映像のフォーマット名などであり、視聴者は、映像の名称及び映像のフォーマット名が表示された映像を見て、容易に映像のコンテンツ及びフォーマットを把握することができる。
【００２９】
本発明によれば、機器自体を識別する機器情報を記憶している複数の機器と、該機器から送信された複数の映像信号のうちの１つを選択し、選択された映像信号に係る映像及び未選択の映像信号に係る映像を並べて表示する場合に、各機器から機器情報を取得し、取得した機器情報に係る映像を、選択及び未選択の映像信号に係る映像に合成する構成としたので、表示されている各映像が、いずれの機器の映像であるかを視聴者に把握させることができる等、優れた効果を奏する。
【発明を実施するための最良の形態】
【００３０】
以下、本発明をその実施の形態を示す図面に基づいて詳述する。
【００３１】
図１は本発明に係る映像表示装置の構成を示すブロック図である。
本発明に係る映像表示装置１は、制御部１０、ＩＥＥＥ１３９４インタフェース１１、操作信号受信部１２、ＭＰＥＧ（Motion Picture Experts Group）デコーダ１３、映像処理部１４、第１メモリ１５、第２メモリ１６、表示コントローラ１７、表示部１８などを備えている。制御部１０は、上述した各部を直接的又は間接的に制御し、内蔵するＲＯＭに格納された制御プログラムに従って種々の機能を果たす。
【００３２】
ＩＥＥＥ１３９４インタフェース１１は、ＩＥＥＥ１３９４の通信規格に準拠した外部機器５ａ，５ｂ，５ｃ，…をシリアル接続するための接続インタフェースであり、外部機器５ａ，５ｂ，５ｃ，…から、ＭＰＥＧなどの符号化処理がなされた映像信号として受信する。ＩＥＥＥ１３９４では、６３ノードの多重化が可能である。また、外部機器５ａ，５ｂ，５ｃ，…は、機器自体を識別する機器情報を記憶しており、映像表示装置１は、ＩＥＥＥ１３９４インタフェース１１にて、外部機器５ａ，５ｂ，５ｃ，…の電源入断状態（以下、電源状態という）、機器の名称、メーカ名及び機器の種類名などの機器情報を適宜取得することができ、取得した機器情報を第１メモリ１５に取り込む。
【００３３】
操作信号受信部１２は、リモコン３から送信された操作信号を受信するためのものであり、この操作信号によって映像表示装置１の動作が操作される。本発明の映像表示装置１に対応したリモコン３は、外部機器５ａ，５ｂ，５ｃ，…の映像を一覧できる映像一覧モードを指示するための映像一覧キー３ａを備えている。なお、本例では映像表示装置１とは別体のリモコン３を用いて映像表示装置１を遠隔操作するものとするが、映像表示装置１の本体には図示しない操作部が設けられてあり、映像表示装置１を本体側で操作することも可能である。
【００３４】
ＭＰＥＧデコーダ１３は、ＩＥＥＥ１３９４インタフェース１１にて受信したＭＰＥＧ形式の映像信号を、ノード毎にパケットを選別し、外部機器５ａ，５ｂ，５ｃ，…毎に復調する。映像信号には、該映像信号を識別する映像の名称及び映像のフォーマット名などの映像情報が重畳されており、ＭＰＥＧデコーダ１３は、映像信号から映像情報を分離する映像情報分離部１３ａを備えている。
【００３５】
映像処理部１４は、取込処理部１４ａ、合成処理部１４ｂ及びＯＳＤ（On Screen Display）処理部１４ｃを備えている。取込処理部１４ａは、ＭＰＥＧデコーダ１３にて復調された映像データを第１メモリ１５に取り込む。合成処理部１４ｂは、復調された複数の映像データの合成処理を行なうものであり、本発明では、外部機器５ａ，５ｂ，５ｃ，…の映像を並べた一覧映像となるように、各映像データの合成処理を行なう（詳細は後述する）。ＯＳＤ処理部１４ｃは、合成処理部１４ｂにて合成処理された各映像データに、それぞれ機器情報及び映像情報を示す半透明のＯＳＤ映像データを合成するＯＳＤ処理を行なう（詳細は後述する）。なお、第２メモリ１６は、合成処理部１４ｂ及びＯＳＤ処理部１４ｃによる処理の一時的データの記憶に用いられる。
【００３６】
表示コントローラ１７は、液晶パネルなどの表示部１８を駆動させるための同期信号及びクロック信号などを生成し、映像処理部１４にて処理された映像を表示部１８に表示させる。
【００３７】
図２は第１メモリに取り込まれる機器情報、映像情報及び映像データのアドレスを示す図である。
映像表示装置１は、上述のようにして取得した外部機器５ａ，５ｂ，５ｃ，…の機器情報５０ａ，５０ｂ，５０ｃ，…と、映像情報（ただし、外部機器から映像信号が送信されている場合）６０ａ，６０ｂ，６０ｃ，…とを取得する。機器情報５０ａ，５０ｂ，５０ｃ，…は機器の名称５１、機器の電源状態５２、メーカ名５３及び機器の種類５４を含み、映像情報６０ａ，６０ｂ，６０ｃ，…は映像の名称６１及び映像のフォーマット名６２を含んでおり、図２に示すように、第１メモリ１５のアドレスに取り込まれる。また、外部機器５ａ，５ｂ，５ｃ，…の映像データ７０ａ，７０ｂ，７０ｃ，…を、外部機器５ａ，５ｂ，５ｃ，…の映像情報６０ａ，６０ｂ，６０ｃ，…の次アドレスから所定量の領域に取り込む。
【００３８】
合成処理部１４ｂは、各種映像の合成処理を行なうものであり、本発明では、映像一覧キー３ａが押下された場合に、図３に示すように、外部機器５ａ，５ｂ，５ｃ，…の映像７１，７２，７３，…，７６を並べた一覧映像となるように、各映像７１，７２，７３，…，７６の合成処理を行なう。
【００３９】
ＯＳＤ処理部１４ｃは、図４に示すように、合成処理部１４ｂにて合成処理された各映像７１，７２，７３，…，７６に、それぞれ機器情報及び映像情報を示す半透明のＯＳＤ映像８１，８２，８３，…，８６を合成するＯＳＤ処理を行なう。また、ＯＳＤ処理では、領域選択を示す選択枠８８を任意の映像（ここでは映像７５とする）の領域に表示する。
【００４０】
ところで、図３及び図４に示したように、選択中の映像７１の寸法を、未選択の映像７２，７３，…の寸法より大きくする。これは、選択されている映像７１が、視聴者が視聴している映像であることから、未選択の映像７２，７３，…より大きく表示することが好ましいためである。
【００４１】
また、電源がオフ状態の外部機器は、映像表示装置１に対して映像信号を送信していないことから、その外部機器が接続されていることを視聴者に報知できれば十分であると考えられる。そこで、例えば、外部機器５ｂ，５ｃの電源が切断されている場合、図３及び図４に示したように、電源がオフ状態の外部機器５ｂ，５ｃの映像７３，７４の寸法を、電源がオン状態の外部機器の映像７２，７５，７６の寸法より小さくする。このように、電源がオン状態の外部機器の映像を相対的に大きくすることによって、視聴者はオン状態の外部機器の映像７２，７５，７６を確認し易くなる。
【００４２】
図５、図６及び図７は本発明に係る映像表示装置が行なう処理手順を示すフローチャートである。なお、処理手順は一例であり、これに限るものではない。また、このような処理手順は、制御部１０に内蔵したＲＯＭへ予め制御プログラムを組み込んでおくことにより行なうことができる。
【００４３】
先ず、映像表示装置１は、映像一覧キー３ａの押下の有無に基づいて、映像一覧モードが指示されたか否かを判断する（ステップＳ１）。映像一覧キー３ａが押下されず、映像一覧モードが指示されていない場合（Ｓ１：ＮＯ）、映像表示装置１は、Ｓ１へ処理を戻して映像一覧キー３ａの押下を監視するが、映像一覧キー３ａが押下され、映像一覧モードが指示された場合（Ｓ１：ＹＥＳ）、変数ｎを０に設定し（ステップＳ２）、外部機器（ＩＥＥＥ１３９４対応機器）が接続されているか否かを判定する（ステップＳ３）。
【００４４】
外部機器が接続されていないと判定された場合（Ｓ３：ＮＯ）、映像表示装置１は、外部機器が未接続である旨の表示を行なう（ステップＳ４）。一方、外部機器が接続されていると判定された場合（Ｓ３：ＹＥＳ）、映像表示装置１は、変数ｎを１つインクリメントし（ステップＳ５）、外部機器の電源がオン状態であるか否かを判定する（ステップＳ６）。ここでいう電源のオン／オフ状態は、主電源のオン／オフ状態のことであり、主電源がオフ状態であっても外部機器が待機中である場合、外部機器がＩＥＥＥ１３９４規格に準拠していれば、制御部１０は、外部機器の電源のオン／オフ状態を把握することができる。
【００４５】
外部機器の電源がオン状態であると判定された場合（Ｓ６：ＹＥＳ）、映像表示装置１は、その外部機器の機器情報を取得する（ステップＳ７）。また、映像表示装置１は、外部機器から送信された映像信号をＩＥＥＥ１３９４インタフェース１１にて受信し、ＭＰＥＧデコーダ１３にて復調した後に（ステップＳ８）、第１メモリ１５に取り込む（ステップＳ９）。
【００４６】
一方、外部機器の電源がオン状態でない、つまり、オフ状態であると判定された場合（Ｓ６：ＮＯ）、映像表示装置１は、Ｓ７と同様に、その外部機器の機器情報を取得する（ステップＳ１０）。なお、外部機器の電源がオフ状態であると判定された場合は、映像信号が未送信であることから、映像信号の復調及び第１メモリ１５への取り込みを行なわない。
【００４７】
そして、映像表示装置１は、未チェックの外部機器が存在するか否かを判定し（ステップＳ１１）、未チェックの外部機器が存在すると判定された場合（Ｓ１１：ＹＥＳ）、処理をＳ５に移行させ、すべての外部機器のチェックが完了するまで処理を繰り返す。一方、未チェックの外部機器が存在しないと判定された場合（Ｓ１１：ＮＯ）、変数ｎが映像表示装置１（ＩＥＥＥ１３９４インタフェース１１）に接続されている外部機器の機器数であることから、映像表示装置１は、図８に示すように、表示部１８の表示面をｎ個（ここではｎ＝６）の領域９１，９２，９３，…，９６に分割する（ステップＳ１２）。本例では、領域９１が親画面としての領域であり、この領域９１に視聴者によって選択された映像を表示する。一方、領域９２，９３，…，９６は子画面としての領域であり、この領域９２，９３，…，９６に非選択の映像を表示する。
【００４８】
次に、映像表示装置１は、Ｓ７及びＳ１０にて取得した外部機器の機器情報を、分割したｎ個の領域９１，９２，９３，…のうちの対応するそれぞれの領域に合成して表示する（ステップＳ１３）。そして、映像表示装置１は、再度、外部機器の電源がオン状態であるか否かを判定し（ステップＳ１４）、外部機器の電源がオン状態であると判定された場合に（Ｓ１４：ＹＥＳ）、Ｓ９にて第１メモリ１５に取り込んだ映像を、対応する領域にハーフトーンで表示する（ステップＳ１５）。一方、外部機器の電源がオフ状態であると判定された場合に（Ｓ１４：ＮＯ）は、取り込んだ映像がないことから、ハーフトーン表示を行なうことはない。
【００４９】
そして、Ｓ１２にて分割した任意の領域に領域選択を示す選択枠８８（カーソル）を表示し（ステップＳ１６）、視聴者から選択枠８８によって領域の選択が行なわれた否かを判定する（ステップＳ１７）。領域の選択が行なわれていないと判定された場合（Ｓ１７：ＮＯ）は処理をＳ１７に戻して、視聴者の領域選択を監視する。一方、領域の選択が行なわれたと判定された場合（Ｓ１７：ＹＥＳ）、選択された領域に対応する外部機器の電源がオン状態であるか否かを判定し（ステップＳ１８）、外部機器の電源がオフ状態であると判定された場合（Ｓ１８：ＮＯ）、表示部１８に「選択された外部機器の電源は切断されています。」など、選択された外部機器の電源がオフ状態である旨の表示を行なう（ステップＳ１９）。そして、外部機器の電源をオンにするかを視聴者に確認する旨の表示を行なって、視聴者から外部機器の電源をオンにするか否かの受け付けを行なう（ステップＳ２０）。外部機器の電源をオンしない旨の選択を受け付けた場合（Ｓ２０：ＮＯ）、Ｓ１７に移行して視聴者から選択枠８８による領域の選択を再度受け付ける。
【００５０】
一方、外部機器の電源をオンにする旨の選択を受け付けた場合（Ｓ２０：ＹＥＳ）、その外部機器の電源をオンさせるべく、対応する外部機器に制御信号を送信することによって外部機器の電源をオンさせる（ステップＳ２１）。これにより、外部機器の電源がオンされたので、Ｓ１７による選択が行なわれる前に親画面に表示されていた映像と、Ｓ１７による選択によって選択された子画面の映像とを入れ換える（ステップＳ２２）。
【００５１】
また、外部機器の電源がオン状態であると判定された場合（Ｓ１８：ＹＥＳ）、Ｓ１９〜Ｓ２１の処理を行なうことなく、Ｓ２２に移行して親画面の映像と子画面の映像とを入れ換える。
【００５２】
以上、本発明に係る映像表示装置１は、選択及び未選択の映像信号に係る映像に、取得したそれぞれの機器情報を示す映像を合成することにより、視聴者は、表示されている各映像が、外部機器５ａ，５ｂ，５ｃ，…のうちのいずれの外部機器の映像であるかを容易に把握することができる。また、映像信号に重畳された映像情報を分離し、分離された映像情報を示す映像を、それぞれの映像に合成することにより、視聴者は、表示されている各映像が、どのような映像であるかを把握することができる。
【００５３】
また、各外部機器の映像を確信したうえで、子画面のうちの１つを選択することで、その映像が親画面として表示されるので、映像を切り換える際の操作性が向上する。
【００５４】
なお、実施の形態では、表示部１８の表示面を、親画面としての領域９１、及び子画面としての９２，９３，…に分割するようにしたが、すべて同一寸法の領域に分割するようにしてもよい。
【００５５】
また、実施の形態では、第１メモリ１５に、機器情報５０ａ，５０ｂ，５０ｃ，…、映像情報６０ａ，６０ｂ，６０ｃ，…及び映像データ７０ａ，７０ｂ，７０ｃ，…を取り込むようにしたが、図９に示すように、本発明に特徴的な機器情報５０ａ，５０ｂ，５０ｃ，…及び映像情報６０ａ，６０ｂ，６０ｃ，…のみを第１メモリ１５に取り込み、映像データ７０ａ，７０ｂ，７０ｃ，…は、従来のように映像データ用のメモリ（フレームバッファ）に取り込むようにしてもよい。
【図面の簡単な説明】
【００５６】
【図１】本発明に係る映像表示装置の構成を示すブロック図である。
【図２】第１メモリに取り込まれる機器情報、映像情報及び映像データのアドレスを示す図である。
【図３】合成処理の概要を説明するための図である。
【図４】ＯＳＤ処理の概要を説明するための図である。
【図５】本発明に係る映像表示装置が行なう処理手順を示すフローチャートである。
【図６】本発明に係る映像表示装置が行なう処理手順を示すフローチャートである。
【図７】本発明に係る映像表示装置が行なう処理手順を示すフローチャートである。
【図８】表示面の分割処理を説明するための図である。
【図９】第１メモリに取り込まれる機器情報及び映像情報のアドレスを示す図である。
【符号の説明】
【００５７】
１  映像表示装置
３  リモコン
３ａ  映像一覧キー
５ａ，５ｂ，５ｃ，…  外部機器
１０  制御部
１１  ＩＥＥＥ１３９４インタフェース
１３  ＭＰＥＧデコーダ
１３ａ  映像情報分離部
１４  映像処理部
１４ａ  取込処理部
１４ｂ  合成処理部
１４ｃ  ＯＳＤ処理部
１５  第１メモリ
１６  第２メモリ
１７  表示コントローラ
１８  表示部
【図１】
2007166316.tif 000003
【図２】
2007166316.tif 000004
【図３】
2007166316.tif 000005
【図４】
2007166316.tif 000006
【図５】
2007166316.tif 000007
【図６】
2007166316.tif 000008
【図７】
2007166316.tif 000009
【図８】
2007166316.tif 000010
【図９】
2007166316.tif 000011